(57)【要約】【課題】従来の機能水は上述したような、酸性を備えている、又はアルカリ性を備えている、等のある一つの機能が付加されたにものに過ぎず、例えば酸性とアルカリ性の二つの機能を有する、酸性層とアルカリ性の二層からなる機能水などは存在しなかった。【解決手段】本発明は、翡翠と、琥珀と、カーネリアンと、紫水晶と、珪化木と、薬石と、紅水晶と、真砂と、マラカイト等からなる鉱石等粉混合体を保持する保持部と、保持部に近接させて配置される水を貯める貯水部と、からなる水質制御装置で、同一の容器内で、ｐｈ値が相対的高い部分と、相対的に低い部分とを有する機能水を提供する。【選択図】図１
2011020065.tif 000002
【特許請求の範囲】
【請求項１】
翡翠を粉末とした翡翠粉末４８０部と、
琥珀を粉末とした琥珀粉末４００部と、
カーネリアンを粉末としたカーネリアン粉末４００部と、
紫水晶を粉末とした紫水晶粉末３５０部と、
珪化木を粉末とした珪化木粉末３００部と、
薬石を粉末とした薬石粉末３００部と、
紅水晶を粉末とした紅水晶粉末３００部と、
真砂を粉末とした真砂粉末３００部と、
マラカイトを粉末としたマラカイト粉末３００部と、
からなり、各粉末成分の混合量誤差がプラスマイナス１０％以内
である鉱石等粉混合体。
【請求項２】
翡翠を粉末とした翡翠粉末４８０部と、
琥珀を粉末とした琥珀粉末４００部と、
カーネリアンを粉末としたカーネリアン粉末４００部と、
紫水晶を粉末とした紫水晶粉末３５０部と、
珪化木を粉末とした珪化木粉末３００部と、
薬石を粉末とした薬石粉末３００部と、
紅水晶を粉末とした紅水晶粉末３００部と、
真砂を粉末とした真砂粉末３００部と、
マラカイトを粉末としたマラカイト粉末３００部と、
蛇紋岩を粉末とした蛇紋岩粉末２８０部と、
瑪瑙を粉末とした瑪瑙粉末２８０部と、
黒雲母を粉末とした黒雲母粉末２８０部と、
アマゾナイトを粉末としたアマゾナイト粉末２８０部と、
ペリドットを粉末としたペリドット粉末２８０部と、
トパーズを粉末としたトパーズ粉末２６０部と、
シラスを粉末としたシラス粉末２４０部と、
アルミナを粉末としたアルミナ粉末２３０部と、
ジルコンを粉末としたジルコン粉末２００部と、
からなり、各粉末成分の混合量誤差がプラスマイナス１０％以内
である鉱石等粉混合体。
【請求項３】
翡翠を粉末とした翡翠粉末４８０部と、
琥珀を粉末とした琥珀粉末４００部と、
カーネリアンを粉末としたカーネリアン粉末４００部と、
紫水晶を粉末とした紫水晶粉末３５０部と、
珪化木を粉末とした珪化木粉末３００部と、
薬石を粉末とした薬石粉末３００部と、
紅水晶を粉末とした紅水晶粉末３００部と、
真砂を粉末とした真砂粉末３００部と、
マラカイトを粉末としたマラカイト粉末３００部と、
蛇紋岩を粉末とした蛇紋岩粉末２８０部と、
瑪瑙を粉末とした瑪瑙粉末２８０部と、
黒雲母を粉末とした黒雲母粉末２８０部と、
アマゾナイトを粉末としたアマゾナイト粉末２８０部と、
ペリドットを粉末としたペリドット粉末２８０部と、
トパーズを粉末としたトパーズ粉末２６０部と、
シラスを粉末としたシラス粉末２４０部と、
アルミナを粉末としたアルミナ粉末２３０部と、
ジルコンを粉末としたジルコン粉末２００部と、
白雲母を粉末とした白雲母粉末２００部と、
アランダムを粉末としたアランダム粉末１８０部と、
菊花石を粉末とした菊花石粉末１８０部と、
ロードナイトを粉末としたロードナイト粉末１８０部と、
カオリンを粉末としたカオリン粉末１８０部と、
コーライトを粉末としたコーライト粉末１８０部と、
タイガーアイを粉末としたタイガーアイ粉末１８０部と、
シリコンウエハを粉末としたシリコンウエハ粉末１６０部と、
大理石を粉末とした大理石粉末１５０部と、
からなり、各粉末成分の混合量誤差がプラスマイナス１０％以内
である鉱石等粉混合体。
【請求項４】
翡翠を粉末とした翡翠粉末４８０部と、
琥珀を粉末とした琥珀粉末４００部と、
カーネリアンを粉末としたカーネリアン粉末４００部と、
紫水晶を粉末とした紫水晶粉末３５０部と、
珪化木を粉末とした珪化木粉末３００部と、
薬石を粉末とした薬石粉末３００部と、
紅水晶を粉末とした紅水晶粉末３００部と、
真砂を粉末とした真砂粉末３００部と、
マラカイトを粉末としたマラカイト粉末３００部と、
蛇紋岩を粉末とした蛇紋岩粉末２８０部と、
瑪瑙を粉末とした瑪瑙粉末２８０部と、
黒雲母を粉末とした黒雲母粉末２８０部と、
アマゾナイトを粉末としたアマゾナイト粉末２８０部と、
ペリドットを粉末としたペリドット粉末２８０部と、
トパーズを粉末としたトパーズ粉末２６０部と、
シラスを粉末としたシラス粉末２４０部と、
アルミナを粉末としたアルミナ粉末２３０部と、
ジルコンを粉末としたジルコン粉末２００部と、
白雲母を粉末とした白雲母粉末２００部と、
アランダムを粉末としたアランダム粉末１８０部と、
菊花石を粉末とした菊花石粉末１８０部と、
ロードナイトを粉末としたロードナイト粉末１８０部と、
カオリンを粉末としたカオリン粉末１８０部と、
コーライトを粉末としたコーライト粉末１８０部と、
タイガーアイを粉末としたタイガーアイ粉末１８０部と、
シリコンウエハを粉末としたシリコンウエハ粉末１６０部と、
大理石を粉末とした大理石粉末１５０部と、
蛍石を粉末とした蛍石粉末１５０部と、
ヘマタイトを粉末としたヘマタイト粉末１５０部と、
ニッケルを粉末としたニッケル粉末１５０部と、
水晶を粉末とした水晶粉末１３０部と、
マンガンを粉末としたマンガン粉末１３０部と、
珪石を粉末とした珪石粉末１２０部と、
オニキスを粉末としたオニキス粉末１２０部と、
麦飯石を粉末とした麦飯石１００部と、
珪藻土を粉末とした珪藻土粉末１００部と、
からなり、各粉末成分の混合量誤差がプラスマイナス１０％以内
である鉱石等粉混合体。
【請求項５】
翡翠を粉末とした翡翠粉末４８０部と、
琥珀を粉末とした琥珀粉末４００部と、
カーネリアンを粉末としたカーネリアン粉末４００部と、
紫水晶を粉末とした紫水晶粉末３５０部と、
珪化木を粉末とした珪化木粉末３００部と、
薬石を粉末とした薬石粉末３００部と、
紅水晶を粉末とした紅水晶粉末３００部と、
真砂を粉末とした真砂粉末３００部と、
マラカイトを粉末としたマラカイト粉末３００部と、
蛇紋岩を粉末とした蛇紋岩粉末２８０部と、
瑪瑙を粉末とした瑪瑙粉末２８０部と、
黒雲母を粉末とした黒雲母粉末２８０部と、
アマゾナイトを粉末としたアマゾナイト粉末２８０部と、
ペリドットを粉末としたペリドット粉末２８０部と、
トパーズを粉末としたトパーズ粉末２６０部と、
シラスを粉末としたシラス粉末２４０部と、
アルミナを粉末としたアルミナ粉末２３０部と、
ジルコンを粉末としたジルコン粉末２００部と、
白雲母を粉末とした白雲母粉末２００部と、
アランダムを粉末としたアランダム粉末１８０部と、
菊花石を粉末とした菊花石粉末１８０部と、
ロードナイトを粉末としたロードナイト粉末１８０部と、
カオリンを粉末としたカオリン粉末１８０部と、
コーライトを粉末としたコーライト粉末１８０部と、
タイガーアイを粉末としたタイガーアイ粉末１８０部と、
シリコンウエハを粉末としたシリコンウエハ粉末１６０部と、
大理石を粉末とした大理石粉末１５０部と、
蛍石を粉末とした蛍石粉末１５０部と、
ヘマタイトを粉末としたヘマタイト粉末１５０部と、
ニッケルを粉末としたニッケル粉末１５０部と、
水晶を粉末とした水晶粉末１３０部と、
マンガンを粉末としたマンガン粉末１３０部と、
珪石を粉末とした珪石粉末１２０部と、
オニキスを粉末としたオニキス粉末１２０部と、
麦飯石を粉末とした麦飯石１００部と、
珪藻土を粉末とした珪藻土粉末１００部と、
松脂を粉末とした松脂粉末９０部と、
ボルダーオパールを粉末としたボルダーオパール粉末８０部と、
活性炭を粉末とした活性炭粉末８０部と、
滋賀白を粉末とした滋賀石粉末８０部と、
カーボランダムを粉末としたカーボンランダム粉末６０部と、
金を粉末とした金粉末５０部と、
コージェライトを粉末としたコージュライト粉末４０部と、
アイオライトを粉末としたアイオライト粉末３０部と、
ルビーを粉末としたルビー粉末２４部と、
からなり、各粉末成分の混合量誤差がプラスマイナス１０％以内
である鉱石等粉混合体。
【請求項６】
翡翠を粉末とした翡翠粉末４８０部と、
琥珀を粉末とした琥珀粉末４００部と、
カーネリアンを粉末としたカーネリアン粉末４００部と、
紫水晶を粉末とした紫水晶粉末３５０部と、
珪化木を粉末とした珪化木粉末３００部と、
薬石を粉末とした薬石粉末３００部と、
紅水晶を粉末とした紅水晶粉末３００部と、
真砂を粉末とした真砂粉末３００部と、
マラカイトを粉末としたマラカイト粉末３００部と、
蛇紋岩を粉末とした蛇紋岩粉末２８０部と、
瑪瑙を粉末とした瑪瑙粉末２８０部と、
黒雲母を粉末とした黒雲母粉末２８０部と、
アマゾナイトを粉末としたアマゾナイト粉末２８０部と、
ペリドットを粉末としたペリドット粉末２８０部と、
トパーズを粉末としたトパーズ粉末２６０部と、
シラスを粉末としたシラス粉末２４０部と、
アルミナを粉末としたアルミナ粉末２３０部と、
ジルコンを粉末としたジルコン粉末２００部と、
白雲母を粉末とした白雲母粉末２００部と、
アランダムを粉末としたアランダム粉末１８０部と、
菊花石を粉末とした菊花石粉末１８０部と、
ロードナイトを粉末としたロードナイト粉末１８０部と、
カオリンを粉末としたカオリン粉末１８０部と、
コーライトを粉末としたコーライト粉末１８０部と、
タイガーアイを粉末としたタイガーアイ粉末１８０部と、
シリコンウエハを粉末としたシリコンウエハ粉末１６０部と、
大理石を粉末とした大理石粉末１５０部と、
蛍石を粉末とした蛍石粉末１５０部と、
ヘマタイトを粉末としたヘマタイト粉末１５０部と、
ニッケルを粉末としたニッケル粉末１５０部と、
水晶を粉末とした水晶粉末１３０部と、
マンガンを粉末としたマンガン粉末１３０部と、
珪石を粉末とした珪石粉末１２０部と、
オニキスを粉末としたオニキス粉末１２０部と、
麦飯石を粉末とした麦飯石１００部と、
珪藻土を粉末とした珪藻土粉末１００部と、
松脂を粉末とした松脂粉末９０部と、
ボルダーオパールを粉末としたボルダーオパール粉末８０部と、
活性炭を粉末とした活性炭粉末８０部と、
滋賀白を粉末とした滋賀石粉末８０部と、
カーボランダムを粉末としたカーボンランダム粉末６０部と、
金を粉末とした金粉末５０部と、
コージェライトを粉末としたコージュライト粉末４０部と、
アイオライトを粉末としたアイオライト粉末３０部と、
ルビーを粉末としたルビー粉末２４部と、
亜鉛を粉末とした亜鉛粉末９０部と、
白墨を粉末とした白墨粉末８０部と、
酸化白金を粉末とした酸化白金粉末８０部と、
からなり、各粉末成分の混合量誤差がプラスマイナス１０％以内
である鉱石等粉混合体。
【請求項７】
請求項１から６のいずれか一に記載の鉱石等粉混合体を保持する保持部と、
保持部に近接させて配置される水を貯める貯水部と、
からなる水質制御装置。
【請求項８】
保持部は、貯水部の外壁にそって設けられている請求項７に記載の水質制御装置。
【請求項９】
請求項１から６のいずれか一に記載の鉱石等粉混合体を得る粉砕混合工程と、
鉱石等粉混合体と水とを近接させて所定時間静置する熟成工程と、
からなる水質制御方法。
【発明の詳細な説明】
【技術分野】
【０００１】
本発明は、鉱石、金属等の粉末混合体に関する。また、当該鉱石、金属等の粉混合体を用いた水質制御装置及び水質制御方法に関する。
【背景技術】
【０００２】
近年、水に対して人工的に機能を付加した「機能水」と呼ばれる水が家庭用、業務用、産業用と様々な場面で利用されている。例えば、家庭用としては飲料・調理用水に利用されている。また業務用としては食材や機械の洗浄、医療機関での消毒・殺菌、ビル等での防錆、農業分野での栽培用水、畜産用水に利用されている。また産業用としては半導体・電子部品など精密機器の洗浄水、食品工場などの各種工場での洗浄水に利用されている。
【０００３】
具体的には、超純水、強酸性電解水、アルカリイオン水などと呼ばれるものがある。超純水は、イオン交換等を行い不純物を除去し精製したものであり、半導体や電子部品などの精密機器の洗浄に多く用いられている。また、強酸性電解水は、原水に食塩水などの電解質を添加し、電気分解処理を行ったものであり、消毒・殺菌作用を利用して生鮮食品等の洗浄や、医療機器の洗浄、農作物の殺菌等に用いられている。また、アルカリイオン水は、飲料用として広く用いられ、認知されている。その他にも、消毒・殺菌作用を持つ電解次亜水や、病気予防等を目的としたミネラル成分を含んだミネラル還元水と呼ばれるものもある。
【０００４】
そしてこれらの機能水は、一般的には水を電気分解処理し、又は磁器処理、電磁波処理、金属処理、機械的処理、放射線処理などを行うことで生成される。電気分解処理は、透過性の隔膜を介して陽極板と陰極板とを設けた電解槽に、電解質として塩化ナトリウム（ＮａＣｌ）、塩化カリウム（ＫＣｌ）等の塩化物を含む原水を供給して電解させる方法が広く用いられている。当該方法において、２枚の電極板に電流を流すと、陽極板では酸性を帯びた水が、陰極板ではアルカリ性を帯びた水を生成する電気分解反応が生じている。
【先行技術文献】
【特許文献】
【０００５】
【特許文献１】特開Ｈ１１−０５７７２０
【発明の概要】
【発明が解決しようとする課題】
【０００６】
しかしながら、これらの機能水は上述したような、酸性を備えている、又はアルカリ性を備えている、等のある一つの機能が付加されたにものに過ぎず、例えば酸性とアルカリ性の二つの機能を有する、酸性層とアルカリ性の二層からなる機能水などは存在しなかった。
【０００７】
また、上述したような機能水の生成方法にも種々の問題があった。例えば、上記電極版を用いて電気分解処理を行う場合、電極板は水と直接接触するため、その耐食性が大きな問題となる。電極板に電流せば時間の経過とともに電極板と触媒は消耗し、電解液中へ流出するためである。その他、放射線や電磁波を照射する放射線処理、電磁波処理は簡易な装置で行うことはできず、大きな設備を要する。
【課題を解決するための手段】
【０００８】
そこで本発明は、非常に簡易な装置で、同一の容器内で、ｐｈ値が相対的高い部分と、相対的に低い部分とを有する機能水、及びその製造方法を提供する。具体的には、以下の通りである。
【０００９】
（１）本発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、からなり、各粉末成分の混合量誤差がプラスマイナス１０％以内である鉱石等粉混合体を提供する。
【００１０】
（２）本発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、
シラスを粉末としたシラス粉末２４０部と、アルミナを粉末としたアルミナ粉末２３０部と、ジルコンを粉末としたジルコン粉末２００部と、からなり、各粉末成分の混合量誤差がプラスマイナス１０％以内である鉱石等粉混合体を提供する。
【００１１】
（３）本発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、
シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、
タイガーアイを粉末としたタイガーアイ粉末１８０部と、シリコンウエハを粉末としたシリコンウエハ粉末１６０部と、大理石を粉末とした大理石粉末１５０部と、からなり、各粉末成分の混合量誤差がプラスマイナス１０％以内である鉱石等粉混合体を提供する。
【００１２】
（４）本発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、
シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、からなり、各粉末成分の混合量誤差がプラスマイナス１０％以内である鉱石等粉混合体を提供する。
【００１３】
（５）本発明は、翡翠を粉末とした翡翠粉末４８０部と、
琥珀を粉末とした琥珀粉末４００部と、
カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、松脂を粉末とした松脂粉末９０部と、ボルダーオパールを粉末としたボルダーオパール粉末８０部と、活性炭を粉末とした活性炭粉末８０部と、滋賀白を粉末とした滋賀石粉末８０部と、カーボランダムを粉末としたカーボンランダム粉末６０部と、金を粉末とした金粉末５０部と、コージェライトを粉末としたコージュライト粉末４０部と、アイオライトを粉末としたアイオライト粉末３０部と、ルビーを粉末としたルビー粉末２４部と、からなり、各粉末成分の混合量誤差がプラスマイナス１０％以内である鉱石等粉混合体を提供する。
【００１４】
（６）本発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、松脂を粉末とした松脂粉末９０部と、ボルダーオパールを粉末としたボルダーオパール粉末８０部と、活性炭を粉末とした活性炭粉末８０部と、滋賀白を粉末とした滋賀石粉末８０部と、カーボランダムを粉末としたカーボンランダム粉末６０部と、金を粉末とした金粉末５０部と、コージェライトを粉末としたコージュライト粉末４０部と、アイオライトを粉末としたアイオライト粉末３０部と、ルビーを粉末としたルビー粉末２４部と、亜鉛を粉末とした亜鉛粉末９０部と、白墨を粉末とした白墨粉末８０部と、酸化白金を粉末とした酸化白金粉末８０部と、からなり、各粉末成分の混合量誤差がプラスマイナス１０％以内である鉱石等粉混合体を提供する。
【００１５】
（７）本発明は、上記（１）から（６）のいずれか一に記載の鉱石等粉混合体を保持する保持部と、保持部に近接させて配置される水を貯める貯水部と、からなる水質制御装置を提供する。
【００１６】
（８）本発明は、保持部は、貯水部の外壁にそって設けられている上記（７）に記載の水質制御装置を提供する。
【００１７】
（９）本発明は、上記（１）から（６）のいずれか一に記載の鉱石等粉混合体を得る粉砕混合工程と、鉱石等粉混合体と水とを近接させて所定時間静置する熟成工程と、からなる水質制御方法を提供する。
【発明の効果】
【００１８】
本発明によれば、非常に簡易な装置で、同一の容器内で、ｐｈ値が相対的高い部分と、相対的に低い部分とを有する機能水を製造できる。
【図面の簡単な説明】
【００１９】
【図１】実施形態２にかかる水質制御装置の概念図
【図２】実施形態２にかかる水質制御装置の他の概念図
【発明を実施するための形態】
【００２０】
以下、本件発明の実施の形態について、添付図面を用いて説明する。なお、本件発明は、これら実施形態に何ら限定されるべきものではなく、その要旨を逸脱しない範囲において、種々なる態様で実施し得る。なお、実施形態１は主に請求項１乃至６などに関する。実施形態２は主に請求項７及び８などに関する。実施形態３は主に請求項９などに関する。
<<実施形態１>>
<実施形態１：概要>
【００２１】
本実施形態の鉱石等粉混合体は、下記表１乃至表６の記載の鉱石等を細かく粉砕し、各粉末成分を当該表に記載の混合比で混合したものである。当該鉱石等粉混合体を後述する実施形態２にかかる水質制御装置に用いた場合、同一の容器内で、ｐｈ値が相対的高い部分と、相対的に低い部分とを有する機能水を製造できる。
<実施形態１：構成>
【００２２】
［表１］
2011020065.tif 000003
【００２３】
表１に記載の鉱石等粉混合体において、各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部である。
【００２４】
なお、各粉末成分の混合量誤差は、それぞれプラスマイナス１０％までを許容誤差とする。これは、下記表２乃至６に記載の鉱石等粉混合体においても同様である。
【００２５】
ここで、「翡翠」は硬玉（ヒスイ輝石、ｊａｄｅｉｔｅ）のことである。「カーネリアン」（ｃａｒｎｅｌｉａｎ）は紅玉髄ともいう。「珪化木」は植物、主に樹木の化石であり、樹木の種類は特に限定しない。木質材を珪酸処理して人工的に製造した珪化木であってもよい。「薬石」とは、主に新潟県の糸魚川周辺で採取できる流紋岩である。「真砂」とは、真砂土とも呼ばれ、花崗岩が風化したものである。「マラカイト」（ｍａｌａｃｈｉｔｅ）は、孔雀石ともいう。
【００２６】
なお、紫水晶（ａｍｅｔｈｙｓｔ）と紅水晶（ｒｏｓｅ  ｑｕａｒｔｚ）はいずれも鉱物学上の石英に分類され、主要構成元素は同じである。従って、上記混合比において、紫水晶及び／又は紅水晶の合計混合比が６５０部であれば、それぞれの混合比を変更してもよい。更には紫水晶及び／又は紅水晶に代えて水晶を用いてもよい。これは、下記表２乃至６に記載の鉱石等粉混合体においても同様である。
【００２７】
［表２］
2011020065.tif 000004
【００２８】
表２に記載の鉱石等粉混合体において、各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部である。
【００２９】
ここで、「蛇紋岩」（ｓｅｒｐｅｎｔｉｎｉｔｅ）は、変性岩又は火成岩に一種であり、蛇紋石（ｓｅｒｐｅｎｔｉｎｅ）からなる。「アマゾナイト」（ａｍａｚｏｎｉｔｅ）は微斜長石の一種であり、主要構成元素は同じである。よって、上記混合比において、アマゾナイト２８０部に代えて、微斜長石２８０部又はムーンストン（月長石）２８０部としてもよい。「ペリドット」（ｐｅｒｉｄｏｔ）は鉱物学上はかんらん石（ｏｌｉｖｉｎｅ）に含まれる。従って、上記混合比において、ペリドット２８０部に代えて、かんらん石２８０部としてもよい。「シラス」とは、軽石質火山灰堆積物の総称であり、主に九州地方で採取できる。「ジルコン」（ｚｉｒｃｏｎ）とは、ジルコニウムの鉱石である。これは、下記表３乃至６に記載の鉱石等粉混合体においても同様である。
【００３０】
［表３］
2011020065.tif 000005
【００３１】
表３に記載の鉱石等粉混合体において、各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部、白雲母２００部、アランダム１８０部、菊花石１８０部、ロードナイト１８０部、カオリン１８０部、コーライト１８０部、タイガーアイ１８０部、シリコンウエハ１６０部、大理石１５０部である。
【００３２】
ここで、「アランダム」とは、人造コランダムの名称であり、上記混合比において、アランダム１８０部に代えて、コランダム１８０部としてもよい。「菊花石」とは菊の模様がある石のことで、堆積岩に属す。石灰岩からなり、菊の花の模様は方解石でできている。泥状の石灰質の堆積物が固化の際、内部に亀裂空洞が生じ、滲入した他物質が石化し、模様を描くとされている。「ロードナイト」（ｒｈｏｄｏｎａｉｔｅ）はばら輝石ともいう。「カオリン」（ｋａｏｌｉｎｅ）は粘土鉱石である。「コーライト」はアンモライト（ａｍｍｍｏｌｉｔｅ）ともいう。「タイガーアイ」（ｔｉｇｅｒ'ｓ  ｅｙｅ）とはタイガーズアイのことである。「シリコンウエハ」とは珪素（シリコン）の薄い基板であり、上記混合比において、シリコンウエハ１６０部に代えて、シリコン１６０部としてもよい。これは、下記表４乃至６に記載の鉱石等粉混合体においても同様である。
【００３３】
［表４］
2011020065.tif 000006
【００３４】
表４に記載の鉱石等粉混合体において、各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部、白雲母２００部、アランダム１８０部、菊花石１８０部、ロードナイト１８０部、カオリン１８０部、コーライト１８０部、タイガーアイ１８０部、シリコンウエハ１６０部、大理石１５０部、蛍石１５０部、ヘマタイト１５０部、ニッケル１５０部、水晶１３０部、マンガン１３０部、珪石１２０部、オニキス１２０部、麦飯石１００部、珪藻土１００部である。
【００３５】
ここで、水晶（ｒｏｃｋ  ｃｒｙｓｔａｌ）は大きく結晶した石英であり、紫水晶及び紅水晶と主要構成元素は同じである。従って、上記混合比において、紫水晶及び／又は紅水晶及び／又は水晶の合計混合比が７８０部であれば、それぞれの混合比を変更してもよい。「オニキス」（ｏｎｙｘ）とは、瑪瑙のうち特に平行縞模様のあるものをいい、縞瑪瑙（パンデット・アゲート）、赤瑪瑙（サード・オニキス）、黒瑪瑙（ブラック・オニキス）などがあるが、これらのうちいずれであってもよく、２以上を混合したものでもよい。また、上記混合比において、オニキス及び／又は瑪瑙の合計混合比が４００部であれば、それぞれの混合比を変更してもよい。これは、下記表５及び６に記載の鉱石等粉混合体においても同様である。
【００３６】
［表５］
2011020065.tif 000007
【００３７】
表５に記載の鉱石等粉混合体において、各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部、白雲母２００部、アランダム１８０部、菊花石１８０部、ロードナイト１８０部、カオリン１８０部、コーライト１８０部、タイガーアイ１８０部、シリコンウエハ１６０部、大理石１５０部、蛍石１５０部、ヘマタイト１５０部、ニッケル１５０部、水晶１３０部、マンガン１３０部、珪石１２０部、オニキス１２０部、麦飯石１００部、珪藻土１００部、松脂９０部、ボルダーオパール８０部、活性炭８０部、滋賀白８０部、カーボランダム６０部、金５０部、コージェライト４０部、アイオライト３０部、ルビー２４部である。
【００３８】
ここで、「ボルダーオパール」とはオパールの母岩のことである。「滋賀白」とは石川県・福井県・岐阜県の３県にまたがるの成層火山である白山の噴火の際に滋賀地方に火山灰として堆積し、石化した軽石である。「コージェライト」は宝石名として、「アイオライト」と呼ばれることがある。従って、上記混合比において、コージェライト４０部とアイオライト３０部に代えて、コージェライト７０部、又はアイオライト７０部としてもよい。「ルビー」はコランダムのうち美しい赤色の結晶をいう。従って、上記混合比において、ルビー２４部に代えてアランダム２４部としてもよい。これは、下記表６に記載の鉱石等粉混合体においても同様である。
【００３９】
［表６］
2011020065.tif 000008
【００４０】
表６に記載の鉱石等粉混合体において、各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部、白雲母２００部、アランダム１８０部、菊花石１８０部、ロードナイト１８０部、カオリン１８０部、コーライト１８０部、タイガーアイ１８０部、シリコンウエハ１６０部、大理石１５０部、蛍石１５０部、ヘマタイト１５０部、ニッケル１５０部、水晶１３０部、マンガン１３０部、珪石１２０部、オニキス１２０部、麦飯石１００部、珪藻土１００部、松脂９０部、ボルダーオパール８０部、活性炭８０部、滋賀白８０部、カーボランダム６０部、金５０部、コージェライト４０部、アイオライト３０部、ルビー２４部、亜鉛９０部、白墨８０部、酸化白金８０部
である。
【００４１】
ここで、「白墨」とはいわゆるチョークのことである。
<実施形態１：効果>
【００４２】
本実施形態の鉱石等粉混合体を下記実施形態２に記載の水質制御装置に用いれば、同一の容器内で、ｐｈ値が相対的高い部分と、相対的に低い部分とを有する機能水を得られる。
<<実施形態２>>
<実施形態２：概要>
【００４３】
本実施形態の水質制御装置の概念図及び断面図（Ａ−Ａ'の断面図）を図１に示すように、「保持部」（０１０１）と、「貯水部」（０１０２）とからなる。
<実施形態２：構成>
【００４４】
「保持部」（０１０１）とは、前記実施形態１の表１乃至６に記載の鉱石等粉混合体のいずれか一を保持するものである。また、「貯水部」（０１０２）とは、保持部（０１０１）に近接させて配置される水を貯めるものである。ここで、保持部（０１０１）は図１のように貯水部（０１０２）の外壁に沿って設けられているのが好ましい。これは、貯水部に貯められた水の全外周を保持部に保持された鉱石等粉混合体で囲むことにより、水が鉱石等粉混合体からの作用を効率よく受けることができるからである。
【００４５】
なお、図２に示すように、保持部（０２０１）の外周に微電流を流すコイル（０２０３）を巻きつけてもよい。かかる場合、水質制御により大きな効果が得られる。また、保持部に保持された鉱石等粉混合体を温めても同様に大きな効果が得られる。
<実施形態２：効果>
【００４６】
本実施形態の水質制御装置によれば、簡易な装置を用いて、貯水部の水を所定時間静置するだけで、同一の容器内で、ｐｈ値が相対的高い部分と、相対的に低い部分とを有する機能水得られる。
<<実施形態３>>
<実施形態３：概要>
【００４７】
本実施形態の水質制御方法は、「粉砕混合工程」と、「熟成工程」とからなる。
<実施形態３：構成>
【００４８】
「粉砕混合工程」とは、前記前記実施形態１の表１乃至６に記載の鉱石等を粉砕して鉱石等粉混合体を得るための工程である。鉱石等の粉砕には、ボールミルなどの粉砕機を用いればよい。より具合的にはまず先ずジョークラッシャー等により鉱物を粗粉砕し、続いてボールミル等によりの当該粗粉砕物を微粉砕する。粉末を混合することによって、多種容器へ封入して使用でき、また塗布しての使用も可能である。更に、配合が容易であり、目的に応じた分量、形態への対応も可能である。また、均一安定化した効果を発揮し得る。なお、粉末化するため鉱石等の形状、大きさを問わず利用でき、不良部位を除外できる点でも有効である。
【００４９】
「熟成工程」とは、鉱石等粉混合体と水とを近接させて所定時間静置する工程である。静置する時間は、水量や、鉱石等粉混合体の成分、気温等によって適宜決定すればよい。また、かかる工程は、上記実施形態２の水質制御装置を用いるのが好ましい。水が効率よく鉱石等粉混合体の作用を受けられるからである。
<実施形態３：効果>
【００５０】
本実施形態の水質制御方法によれば、簡便に同一の容器内で、ｐｈ値が相対的高い部分と、相対的に低い部分とを有する機能水を得られる。
【実施例１】
【００５１】
図１の水質制御装置を用いて、貯水部（０１０２）に貯めた水のｐｈ値を測定した。
【００５２】
（１）実験方法
【００５３】
実施形態１の表６に記載の鉱石等粉混合体を保持部（０１０１）に保持した図１の水質制御装置において、貯水部（０１０２）の上方より、蒸留水を３０ｃｃ注入し、これを２８℃で６０分間静置した。ここで、注入した水が貯水部に連結しているチューブ（０１０３）から排水しないようにし、また水の界面は、保持部（０１０１）の上面と同程度の高さになるようにした。
【００５４】
６０分経過後、貯水部（０１０２）の上方よりスポイトで水の界面付近の水を１０ｃｃ採取し、またチューブ（０１０３）から水の底面付近の水を１０ｃｃ採取した。ここで、当該底面付近の水を採取する前に、チューブ（０１０３）から水を３ｃｃ採取し、これは廃棄した。なお、水の対流を防ぐ為に、上記の工程は全て静止状態で行った。
【００５５】
そして、採取した界面付近の水１０ｃｃ、及び底面付近の水１０ｃｃのｐｈ値をガラス電極法により測定した。測定は、財団法人食品環境検査会に依頼した。
【００５６】
（２）実験結果
【００５７】
界面付近の水のｐｈ値は６．５であった。また、底面付近の水のｐｈ値は６．６であった。
【００５８】
（３）まとめ
【００５９】
以上より、本発明にかかる鉱石等粉混合体を用いた水質制御装置によれば、ｐｈ値の異なる機能水を得られる。
【符号の説明】
【００６０】
０１０１    保持部
０１０２    貯水部
０１０３    チューブ
【図１】
2011020065.tif 000009
【図２】
2011020065.tif 000010